(57)【要約】【課題】電子時計において、充電性能が良く、かつデザイン面の多様化に対し十分な対応ができるソーラーセルの搭載構造を提供すること。【解決手段】ソーラーセル１とソーラーセル２を有する電子時計である。  面状のソーラーセル１は接続ばね５で、リング状のソーラーセル２は導電体６で、回路基板３と接続している。面状のソーラーセル１と、リング状のソーラーセル２が、回路基板上で電気的に接続されていることを特徴とする。接続状態は、直列でも並列でも良い。また、分割することなく、単一セルとすることも有効である。【選択図】図２
2010078507.tif 000002
【特許請求の範囲】
【請求項１】
発電手段としてソーラーセルを有するソーラーセル搭載の電子時計であって、
時刻等の表示面上に配置される面状ソーラーセルと、
前記表示面の外周に、前記表示面に略垂直に受光面が配置されるリングソーラーセルを
少なくとも有することを特徴とするソーラーセル搭載の電子時計。
【請求項２】
時計の中心を通る第１直線と、該第１直線と略直交し時計の中心を通る第２直線に対し、前記面状ソーラーセルが前記第１直線にて別個のセルに分割され、
前記リングソーラーセルが前記第２直線にて別個のセルに分割されている
ことを特徴とする請求項１に記載のソーラーセル搭載の電子時計。
【請求項３】
上記面状ソーラーセルの分割セルの１つと前記リングソーラーセルの分割セルの１つが並列接続されて１グループを形成し、該グループ同士は直列接続される
ことを特徴とする請求項２に記載のソーラーセル搭載の電子時計。
【請求項４】
前記面状ソーラーセルと前記リングソーラーセルの少なくとも一方が、単一セルで構成される
ことを特徴とする請求項１に記載のソーラーセル搭載の電子時計。
【請求項５】
前記面状ソーラーセルの視認側に、受光用の開口部を設けた金属文字板を配置した
ことを特徴とする請求項１ないし４のいずれか１つに記載のソーラーセル搭載の電子時計。
【請求項６】
前記受光用開口部に半透過部材を配置した
ことを特徴とする請求項５に記載の充電式電子時計。
【請求項７】
前記面状ソーラーセルと前記リングソーラーセル間の電気的接続を、
ムーブメント内に配置される回路基板上で行う
ことを特徴とする請求項１ないし６のいずれか１つに記載のソーラーセル搭載の電子時計。
【発明の詳細な説明】
【技術分野】
【０００１】
本発明は、ソーラーセルを搭載した電子時計に関する。
【背景技術】
【０００２】
従来より、ソーラーセルを有し、太陽光などの光を発電電力として利用する電子時計が数多く商品化されている。これらのソーラーセルを搭載した電子時計は、ソーラーセルが光を吸収して発電を行う関係上、ソーラーセルの上に光透過型の文字板を重ねる構造で使用するのが一般的な手段となっている。
【０００３】
このような手段では、ソーラーセルが濃紫色を呈しているために、時計としての外観的な調和を取ろうとすると、文字板の色やデザインは大きな制約を受けてしまう。詳しく述べると、ソーラーセルが電子時計を動作させる発電量を得るために文字板はある程度光を透過する性質が必要となる。その為、白色といってもグレーがかった色調となるなどの問題がある。一方、外観的な調和を取ろうと文字板の光の透過率を下げてしまうと、ソーラーセルへの光の透過量が低下して充電不足の問題が発生する。また、光を透過しない金属文字板は使用することができない。この問題を解決する従来の技術として、リング状のソーラーセルを文字板外周に垂直に配置した電子時計がある（たとえば下記特許文献１参照）。
【０００４】
また、一般的なソーラーセルの単一セルの出力電圧は０．６Ｖ程度と低いため、電気・電子機器を動作させることや、二次電池に充電することはできない。この問題を解決する従来の技術として、単一セルを直列化して出力電圧を上げたソーラーセルが一般的に用いられている。また、従来の技術として、昇圧回路を設けて電圧を上げる手段が存在する（たとえば下記特許文献２参照）。
【０００５】
ところで、液晶を搭載した電子時計や、時刻表示(秒・分・時)の他に暦表示(日・月・曜・月齢・等)やその他表示(１／１００秒・充電量・モード・等)を複数搭載した多機能電子時計では消費電流が大きくなる。そのため、ソーラーセルを搭載した多機能電子時計は充電不足が発生しやすい傾向にある。さらにソーラーセルに表示用の開口部を複数設ける必要があるため、発電に必要な面積が小さくなり発電力が低くなる傾向にある。
【０００６】
上記の多機能電子時計において、従来は、単一セルを直列化して出力電圧を上げたソーラーセルに、昇圧回路を設けて電圧を上げる手法を共に用いることで電圧を上げ、さらに大きな消費電流に対応する出力電流を得るために光が透過しやすい文字板を用いている。
【特許文献１】実公昭６２−４２３９０号公報
【特許文献２】特開２００３−２０４０７２号公報
【発明の開示】
【発明が解決しようとする課題】
【０００７】
従来の手法では、充電性能とデザインの双方に制約を設ける必要がある。しかしながら、充電性能の向上とデザインの多様化は常に求められており、さらに高めることが望まれている。
【０００８】
特許文献１のリング状のソーラーセルを文字板外周に垂直に配置する方法は、文字板にソーラーセル用の開口部を設ける必要がなく、かつデザインの多様化に対応できる。しかしながら、多機能電子時計を動作させる発電力の確保にはソーラーセル面積を大きくする必要があるため、時計が厚くなってしまう問題がある。
【０００９】
ソーラーセルを直列化する手法も課題がある。ソーラーセルの出力電圧は、直列化した単一セルの出力電圧の総計となる。一方、ソーラーセルの出力電流は各単一セルの最小面積にて定まるため、ソーラーセルの単一セルへの分割数を多くすると、個々の単一セルの面積は小さくなり出力電流が低下する問題がある。また、ソーラーセルは、単一セルを直列接続するための単一セル表面と隣接する単一セル裏面を繋ぐ配線のための隙間や単一セル間の絶縁のための隙間を備える必要があるため、表面に各単一セルを分ける分割線を呈する。光が透過しやすい文字板を用いた場合、この分割線が見えてしまいデザインに影響を及ぼす問題がある。
【００１０】
本発明は、多機能電子時計において、充電性能が良く、かつデザイン面の多様化に対し十分な対応ができるソーラーセルの搭載構造を提供することを目的とする。
【課題を解決するための手段】
【００１１】
上記問題を解決するために、本発明に係るソーラーセル搭載の電子時計は、
時刻等の表示面上に配置される面状ソーラーセルと、
前記表示面の外周に、前記表示面に略垂直に受光面が配置されるリングソーラーセルを少なくとも有することを特徴とする。
【００１２】
時計の中心を通る第１直線と、該第１直線と略直交し時計の中心を通る第２直線に対し、前記面状ソーラーセルが前記第１直線にて別個のセルに分割され、
前記リングソーラーセルが前記第２直線にて別個のセルに分割されていることを特徴とする。
【００１３】
上記面状ソーラーセルの別個セルの１つと前記リングソーラーセルの別個セルの１つが並列接続されて１グループを形成し、該グループ同士は直列接続されることを特徴とする。
【００１４】
前記面状ソーラーセルと前記リングソーラーセルの少なくとも一方が、単一セルで構成される
ことを特徴とする。
【００１５】
前記面状ソーラーセルの視認側に、受光用の開口部を設けた金属文字板を配置したことを特徴とする。
【００１６】
前記受光用開口部に半透過部材を配置したことを特徴とする。
【００１７】
前記面状ソーラーセルと前記リングソーラーセル間の電気的接続を、
ムーブメント内に配置される回路基板上で行うことを特徴とする。
【発明の効果】
【００１８】
請求項１に記載の発明によれば、複数のソーラーセルが電気的に接続されているので、１つのソーラーセルよりも多くの発電電力を得られる。
具体的には、複数のソーラーセルを電気的に直列接続した場合、１つのソーラーセルの単一セルへの分割数を少なくした場合でも、複数のソーラーセルの総計にて出力電圧を確保できる。それにより、１つのソーラーセルの単一セル表面積を大きくできるので、出力電流を向上することができる。従って、充電性能の良い多機能電子時計を提供することができる。また、光が透過しにくい文字板を使用することができるので、多様なデザインに対応できる。
【００１９】
さらに、複数のソーラーセルが電気的に並列接続した場合、複数のソーラーセルの総計
で出力電流を向上することができる。従って、充電性能の良い多機能電子時計を提供することができる。また、光が透過しにくい文字板を使用することができるので、多様なデザインに対応できる。
それにより、ソーラーセルに開口部を設けた場合の充電不足を解消することができるので、充電性能の良い多機能電子時計を提供することが出来る。また、光が透過しにくい文字板を使用することができるので、多様なデザインに対応できる。
さらに、リング状のソーラーセルを隠す見返しリングの色も濃く出来るので、リング状のソーラーセルの色も目立たなく出来るため、よりデザイン性を向上できる。
【００２０】
さらに、複数のソーラーセルを、表示面に配置される面状ソーラーセルと、表示面の外周に、表示面に略垂直に受光面が配置されるリングソーラーセルとの組合せとすることで、光を効率的に受光できる。面状ソーラーセルとリングソーラーセルは、各ソーラーセルの受光面が互いに略垂直に配置されているので、お互いが受光不可能だった各受光面に平行な光も受光できる。
また、リングソーラーセルは、文字板で反射した光も受光できるので、従来面状ソーラーセルのみでは利用できなかった文字板で反射した光を利用して発電できるので、さらに、光の利用効率を向上することが出来る。
【００２１】
請求項３に記載の発明によれば、電気的に並列接続されている複数のソーラーセルからなるグループが、電気的に直列接続されているので、一部のソーラーセルが光を遮断される状態においても、並列接続されている他のソーラーセルにて発電することができ、直列接続することにより出力電圧を確保できる。従って、他のソーラーセルにより発電電力を補うことにより、使用上の環境に影響されにくい時計を提供できる。
【００２２】
特に、面状ソーラーセルとリングソーラーセルでセル分割線を略直交させ、面状ソーラーセルとリングソーラーセルの分割セルを並列に接続し、さらに、その組（グループ）を直列に接続することで、例えば、時計着用中に袖に一部が隠れることにより、いずれかの分割セルに光が当たらなくなっても、充電経路を確保できるので、着用中に時計を充電できなくなるようなデメリットを無くすことが可能となる。
【００２３】
請求項４に記載の発明によれば、１つのソーラーセルが単一セルで分割線がないことにより、光が透過しやすい文字板を用いた場合でも分割線が見えることがなく、デザインに影響を及ぼす問題を解消できる。これは、特に、面積が大きくて、かつ表示面に直接出て目立つ面状のソーラーセルに対し有効である。
【００２４】
請求項５に記載の発明によれば、金属文字板を使用することで、時計の見栄えを向上することができる。従来、面状ソーラーセルのみの時計で光を透過しない金属文字板を面状ソーラーセルの上面に配置した場合、発電量確保のために大きな開口部を必要とし、また、その開口部には半透過部材を配置できず、ソーラーセル自体の色が開口部に現れてしまっていた。このため、デザイン制約も大きく、また、開口部の見栄えも悪くなり、金属文字板を使用するメリットが小さくなっていた。
本発明においては、リングソーラーセルで発電量を補えるので、開口部もそれほど大きくする必要が無く、また、半透過部材の使用も可能となる。これにより、デザイン制約を無くすことができ、金属文字板本来の見栄えを達成することが出来る。
面状ソーラーセルを単一セルにすれば、分割線が開口部に現れることも無いので、開口部の見栄えは更によくなり、金属文字板の良さを更に引き立てることが出来る。
【００２５】
請求項７に記載の発明によれば、面状ソーラーセルとリングソーラーセルの接続を回路基板上で行うことにより、複雑な接続専用部品を用いることなく接続することが可能となる。
また、直列、並列の接続状態の変更も、例えば、基板配線を変更することで実施できるので、仕様変更にも簡単に対応可能である。
【発明を実施するための最良の形態】
【００２６】
［第１実施例］
図１は、この発明の実施形態における電子時計の文字板側から見た平面図であり、図２は、図１のII−II矢視断面図、図３は、面状のソーラーセルの平面図、図４は、リング状のソーラーセルの斜視図である。
【００２７】
図１、図２に示すように電子時計は、時計モジュール４等を内部に収納するケース９を備えている。この時計モジュールの上面に面状のソーラーセル１が配置しており、面状のソーラーセル１の上面に文字板８が配置している。文字板８は面状のソーラーセル１が発電力を得るために光を透過する性質をもつ半透過型の文字板を採用している。また、文字板８と風防ガラス１１の隙間の文字板８の外周部にリング状のソーラーセル２を配置している。時計モジュール４は、指針機構、前記ソーラーセルや前記指針機構等を接続してこれらを制御する回路基板３を含んでいる。
【００２８】
面状のソーラーセル１には、図３に示すような電極１ａ、１ｂがあり、正極、負極用の２本の接続ばね５ａ、５ｂが、時計モジュール４の穴部を通って、裏蓋側に配置している回路基板３と接触することで、面状のソーラーセル１からの発電電力を回路基板３へ導くものである。
図４に示すリング状のソーラーセル２には、ソーラーセルから突出した導電体６があり、裏蓋側に配置している回路基板３と接続し、ソーラーセル２からの発電電力を回路基板３へ導くものである。
面状のソーラーセル１と、リング状のソーラーセル２とは、回路基板上の回路にて直列接続されている。回路基板上での接続方法としては、回路基板上の配線により行う方法や、充電制御用ＩＣ内で行う方法などが有り、適切な方法を適宜採用可能である。
尚、面状のソーラーセル１とリング状のソーラーセル２を、別途接続部材にて直接、直列接続しても良い。
【００２９】
ソーラーセル自体の起電圧は０．４〜０．５Ｖであり、２次電池（通常１．０Ｖ〜３．０Ｖ）へ充電するには電圧不足のため、ソーラーセルを分割し、分割された各分割セルを直列接続することで、電圧を稼いでいる。分割セル数は、２次電池の電圧により決定される。
図３（ａ）に示す面状のソーラーセル１は、約２．０Ｖ〜２．５Ｖの２次電池への充電を面状のソーラーセル１のみで行う場合を想定し、分割線１ｅにより５つの分割セル１ｆ、１ｇ、１ｈ、１ｉ、１ｊに分割され、これら分割セル１ｆ、１ｇ、１ｈ、１ｉ、１ｊは、図３（ｂ）に示すように直列接続されている。
【００３０】
分割セル数が多くなるほど分割セル自体の面積は小さくなり、発電電流量は減少する。さらに、図３のような液晶表示のための開口部１ｃ、１ｄを有しているようなものの場合、その面積はさらに減少し、電流量がさらに減少してしまう。図３（ａ）に示すような面状のソーラーセル１を使用する場合は、リング状のソーラーセル２を併用することで、面状のソーラーセル１の分割セル数を減らし、発電電流量を稼ぐことが出来る。
【００３１】
図３（ｂ）には、図３（ａ）の５分割の状態の面状のソーラーセル１に分割していない単一セルのリング状のソーラーセル２を直列に接続した場合の等価回路図を示している。実際には、リング状のソーラーセル２が加わっているので、約２．０Ｖ〜２．５Ｖの２次電池を使用するならば、面状のソーラーセル１の分割数は４にすることが可能である。
【００３２】
さらに、面状のソーラーセル１とリング状のソーラーセル２は、各ソーラーセルの受光面が互いに略垂直に配置されているので、お互いが受光不可能だった各受光面に略平行な光も受光できる（図２参照）。
また、リング状のソーラーセル２は、文字板８で反射した光も受光できるので、従来面状のソーラーセル１のみでは利用できなかった文字板８で反射した光も利用して発電できるので、さらに、光の利用効率を向上することが出来る（図２参照）。
【００３３】
なお、本実施例は、液晶を搭載する電子時計に限るものではなく、例えば、表示針を複数搭載した多機能電子時計にも適用可能である。表示針を複数搭載した多針時計は、針間隔が大きくなるため、リング状のソーラーセル２の面積が必然的に増え、好都合である。
さらに、デザイン上大きな開口部を有し、モジュール４の内部が可視できる電子時計（スケルトンモデル）に適用しても良い。さらに、開口部を有さずとも、アラーム等を有することにより大きな消費電流が発生する電子時計においても有効である。
【００３４】
［変形例１］
以下で、リング状のソーラーセル２を併用することによる有効性を、さらに詳細に述べる。なお、以下の面状のソーラーセルは、説明を簡単にするために、単純な円板状のもので説明を行う。
図５（ａ）には、面状のソーラーセル１２を有する従来例の電子時計の平面図が示されている。図５の電子時計では、４分割された面状のソーラーセル１２のみを有し、リング状のソーラーセル２を有していない。図５（ｂ）の等価回路図に示すように、各分割は直列接続されている。
【００３５】
図６（ａ）には、変形例１の電子時計の平面図が示されている。
この変形例１が第１実施例と異なる点は、第１実施例が面状のソーラーセル１が液晶等を搭載するための開口部１ｃ、１ｄを有し、面状のソーラーセル１を分割線１ｅにて５つの単一セルに分割しているのに対して、変形例１の面状のソーラーセル１３は、液晶等を搭載するための開口部がなく、面状のソーラーセル１３を分割線１３ｃにて２つの単一セルに分割している点である。その他の構成は上記実施形態と同様である。
図６（ｂ）に等価回路図を示す。面状のソーラーセル１３の分割セル１３ａ、１３ｂとリング状のソーラーセル２が直列接続されている。
【００３６】
図６に示す変形例１のソーラーセル１３の単一セル面積は、図５に示す従来例の面状のソーラーセル１２の２倍であり、２倍の出力電流を得ることが出来る。また、リング状のソーラーセル２を直列接続することで、出力電圧を確保している。即ち、この変形例１では、光が透過しにくい厚い半透過型文字板を使用した場合でも、発電電力を確保することができるので、ソーラーセル特有の濃紫色や分割線が見えにくい、外観的な調和を取りやすくなる。そもそも、分割線の本数も従来例より少ないので、その点でも美観的には有利である。
なお、図６の変形例の場合、図５の従来例に比べ、セル段数が１段少ないため発電電圧が約１．２〜１．５Ｖと低くなってしまうが、約１．２〜１．５Ｖの起電圧の時計用２次電池は一般に市販されており、特に問題はない。
【００３７】
［変形例２］
図７（ａ）には、変形例２の電子時計の平面図が示されている。
この変形例２が上記実施形態と異なる点は、変形例２の面状のソーラーセル１４は分割線のない単一セルである点である。その他の構成は上記実施形態と同様である。
この変形例２のソーラーセル１４の単一セル面積は、図５に示す従来例の面状のソーラーセル１２の４倍であり、４倍の出力電流を得ることが出来る。また、図７（ｂ）に示すように、リング状のソーラーセル２を直列接続することで、出力電圧は確保している。
但し、セル直列段数としては２段になり、発電電圧が約０．８〜１．０Ｖとなり、電池の選択幅が狭まるので、必要に応じて、昇圧回路を併用しても良い。
即ちこの変形例２では、光が透過しにくい厚い文字板を使用した場合でも、発電電力を確保することができるので、ソーラーセル特有の濃紫色が見えにくく、分割線がないため、外観的な調和をより取りやすくなる。
【００３８】
［変形例３］
本変形例は、第１実施例に金属文字板を適用した変形例である。ソーラー時計用の金属文字板は、１次電池式時計に使われるような通常の金属製文字板に、ソーラーセルに光を当てるための開口部を設けたものである。半透過型文字板に対し、装飾性に優れているが、開口部以外は光を透過しないために、光照射量が大幅に減少する欠点がある。
【００３９】
図８は、変形例３の電子時計の平面図であり、図９は、図８のＩＩＩ−ＩＩＩ矢視断面図である。
この変形例３は、上記変形例２に金属文字板１５を使用している。ここで、図８に示すような金属文字板１５は、面状のソーラーセル１４が光発電を行なうための開口部１５ａ、１５ｂ、１５ｃを有している。この金属文字板１５は、面状のソーラーセル１４上に直接配置しても良いし、光を透過する文字板１６に重ねる構造としてもよい。
【００４０】
面状のソーラーセル１４とリング状のソーラーセル２を直列接続することで、面状のソーラーセル１４は開口部１５ａ、１５ｂ、１５ｃからの光発電とリング状のソーラーセル２により、出力電圧を補うことができる。さらに、面状のソーラーセル１４は分割線のない単一セルであるため、開口部１５ａに分割線を呈することはない。
即ちこの変形例３では、光を透過しない金属文字板を使用した場合でも、一部の開口部１５ａ、１５ｂ、１５ｃで発電電力を確保することができ、かつ、分割線がないため、多様なデザインに対応できる。
【００４１】
また、面状のソーラーセル１４が分割線を有する場合でも、ソーラーセル特有の分割線を金属文字板の非開口部に設置することで、分割線の見えることがない、デザインを実現できる。
さらに、リング状のソーラーセル２により、発電電力を稼ぐことが出来るので、開口部１５ａ、１５ｂ、１５ｃの大きさが小さくても発電電力が不足することが無いので、開口部の大きさの制限がゆるやかになり、デザイン制約が大幅に解消される。
【００４２】
さらに、リング状のソーラーセル２により、発電電力も稼ぐことが出来るので、開口部１５ａ、１５ｂ、１５ｃに、従来では電力不足になるため使用できなかった半透過部材２５を適用することも可能となる。これにより、従来では見えてしまっていたソーラーセルの色を隠すことが出来るので、見栄えがよくなり、また、カラーバリエーションを増やすことも出来るので、より良いデザインが実現できる。
【００４３】
なお、半透過部材２５は図９に示すように、開口部１５ａ、１５ｂ、１５ｃに直接嵌め込む形態にすると、文字板１６を削除することが可能となる。別の方法として、半透過部材２５を適用する代わりに、文字板１６を半透過部材とすることも可能である。
前者は薄型化に有利であり、後者は金属文字板１５が製造しやすく、コストダウンできるメリットがある。
【００４４】
さらに、金属文字板１５は、半透過型文字板よりも反射率が高く反射光が多いので、半透過型文字板の場合よりもリング状のソーラーセル２の発電量を大きく出来るメリットもある。金属文字板１５の外周部の反射率を中央部付近以上に高めておけば、さらにこの効果を高めることが出来る。
【００４５】
［変形例４］
今までの全実施例では、面状のソーラーセル１（１２，１３，１４）とリング状のソーラーセル２を直列接続し、出力電圧を大きくする実施例であったが、面状のソーラーセル１（１２，１３，１４）とリング状のソーラーセル２が同じ分割数（単一セルの場合も含む）、すなわち、ソーラーセルとしての出力電圧が同じという前提で（同じ電圧でないと低い電圧の方に制限されてしまう）、両者を並列接続しても良い。
図７（ｃ）に、面状のソーラーセル１４とリング状のソーラーセル２を並列接続した場合の等価回路図を示す。
並列接続することで、出力電流を増加させることが可能となる。並列接続は、大きな電流を必要とするブザーやセンサーなどの重負荷を駆動する多機能時計に対し好適である。但し、出力電圧は減少するので、２次電池への充電の際は、適宜昇圧回路などの併用を考慮すべき場合もある。
【００４６】
以上の変形例において、各ソーラーセル、特に、面状のソーラーセルの分割段数をいくつにするか、各分割セル（もしくは、単一セル）の接続関係（直並列）を如何にするかは、適用する電子時計の回路システム、装飾性（デザイン）などに合わせ、適宜選択すれば良い。
【００４７】
［第２実施例］
第２実施例は、各ソーラーセルの分割と接続を工夫することにより、従来に無い効果を生むことが出来ることを示す実施例である。
図１０は、第２実施例の電子時計の平面図であり、図１１は、ソーラーセル部の電気回路図である。
【００４８】
面状のソーラーセル１７（１７ａ、１７ｂを合わせたもの）は、３時方向（リューズ２２側）と９時方向（リューズ２２の反対側）を結ぶ直線Ｌ１を境に、分割セル１７ａ、１７ｂとして左右に分割され、リング状のソーラーセル１８（１８ａ、１８ｂを合わせたもの）は、１２時方向と６時方向を結ぶ直線Ｌ２を境に、分割セル１８ａ、１８ｂとして上下に分割される。なお、１９ａ，ｂは分割セル１７ａ用の接続バネ、２１は分割セル１８ｂ用の導電体である。
【００４９】
分割セル１７ａと１８ａは、図１１の電気回路図のごとく、回路基板上の回路にて並列接続されグループａを構成している。分割セル１７ｂと１８ｂも同様であり、回路基板上の回路にて並列接続されグループｂを構成している。そして、グループａとグループｂは、回路基板上の回路にて、直列接続されている。尚、各分割セルは、別途接続部材にて直接、接続しても良い。
【００５０】
ここで、図１０に示すような電子時計によれば、例えば長袖３０により時計の右半分が覆われ、分割セル１７ｂが隠れても、他の単一セル１７ａ、１８ａ、１８ｂにより発電電力を確保することができる。図１１で説明すると、グループｂの分割セル１７ｂに光が当たらないため、非発電状態となり、事実上分割セル１７ｂの部分で断線状態となる。しかし、分割セル１８ｂが発電しているために、充電経路が断たれることは無く、蓄電池（不図示）への充電を継続できる。
【００５１】
このように、従来の面状のソーラーセル１７、リング状のソーラーセル１８単独の場合、分割セルの一部が非発電状態となることにより蓄電池への充電が不可能になることを、両ソーラーセルを使用した上で、各ソーラーセルの分割線を略直交させた状態で分割し、接続を工夫することにより、回避することが出来る。
もちろん長袖により時計が覆われる事象に限るモノではなく、左半分、上半分、下半分
が覆われた場合でも同様であり、使用上の環境に影響されにくい時計を提供できる。
【００５２】
以上の本発明の実施形態及び変形例については、その要旨を逸脱しない範囲で、種々の変形が可能である。例えば、面状のソーラーセル同士の組合せや、リング状のソーラーセル同士の組合せや、３つ以上のソーラーセルの組合せが挙げられる。
【図面の簡単な説明】
【００５３】
【図１】本発明の第１実施形態における電子時計の平面図。
【図２】図１のII−II矢視断面図。
【図３】（ａ）は本発明の第１実施形態における面状のソーラーセルの平面図、（ｂ）はその等価回路図である。
【図４】本発明の第１実施形態におけるリング状のソーラーセルの斜視図。
【図５】（ａ）は従来例のソーラーセルを搭載した電子時計の平面図、（ｂ）はその等価回路図である。
【図６】（ａ）は本発明の第１実施形態の変形例１における電子時計の平面図、（ｂ）はその等価回路図である。
【図７】（ａ）は本発明の第１実施形態の変形例２における電子時計の平面図、（ｂ）は直列接続時の等価回路図、（ｃ）は並列接続時の等価回路図である。
【図８】本発明の第１実施形態の変形例３における電子時計の平面図。
【図９】図８のIII−III矢視断面図。
【図１０】本発明の第２実施形態における電子時計の平面図。
【図１１】本発明の第２実施形態における電子時計のソーラーセル部の等価電気回路図である。
【符号の説明】
【００５４】
１    面状のソーラーセル
１ａ  正電極
１ｂ  負電極
１ｃ  開口部１
１ｄ  開口部２
１ｅ  面状のソーラーセルの分割線
２    リング状のソーラーセル
３    回路基板
４    時計モジュール
５ａ、５ｂ  接続バネ
６    導電体
７    見返しリング
８    文字板
９    ケース
１０  裏蓋
１１  風防ガラス
１２  従来例のソーラーセル
１２ａ従来例のソーラーセルの分割線
１３  本発明の第１施形態の変形例１を表す面状のソーラーセル
１３ｃ本発明の第１施形態の変形例１を表す面状のソーラーセルの分割線
１４  本発明の第１施形態の変形例２を表す面状のソーラーセル
１５  金属文字板
１５ａ、１５ｂ、１５ｃ  金属文字板の開口部
１６  本発明の第２実施形態における電子時計の文字板
１７  本発明の第２実施形態を表す面状のソーラーセル
１７ａ、１７ｂ  本発明の第２実施形態を表す面状のソーラーセルの単一セル
１８  本発明の第２実施形態を表すリング状のソーラーセル
１８ａ、１８ｂ  本発明の第２実施形態を表すリング状のソーラーセルの単一セル
１９ａ、１９ｂ  本発明の第２実施形態における接続バネ
２１  本発明の第２実施形態における導電体
２２  リューズ
３０  長袖
【図１】
2010078507.tif 000003
【図２】
2010078507.tif 000004
【図３】
2010078507.tif 000005
【図４】
2010078507.tif 000006
【図５】
2010078507.tif 000007
【図６】
2010078507.tif 000008
【図７】
2010078507.tif 000009
【図８】
2010078507.tif 000010
【図９】
2010078507.tif 000011
【図１０】
2010078507.tif 000012
【図１１】
2010078507.tif 000013